(57)【要約】【課題】  貯留タンクを構成する基体の厚み等が変わった場合であっても、柔軟に貯留タンクの開口部を保護することができるパチンコ島台を提供する。【解決方法】  パチンコ島台１は、パチンコ玉を通過させる第１排出口１１ａと、パチンコ玉を誘導する第１誘導面４１が形成される第１誘導部材４０と、パチンコ玉を誘導する第２誘導面６１が形成されると共に第１誘導部材４０に連続的に配置される第２誘導部材６０と、が設けられ、第１誘導部材４０は、第１誘導面４１の端部が第１排出口１１ａから突出する状態と貯留タンク４の内部に収納される状態との間で取付位置を変更可能であるため、貯留タンク４を構成する第１誘導側板８３の厚みが膨張等により変化する、あるいは、上段接続部材１２が製品誤差により正確な長さで形成されないような場合であっても、第１排出口１１ａの下端面１５ａを確実に保護することができる。【選択図】        図６
2006043019.tif 000002
【特許請求の範囲】
【請求項１】
複数の遊技機が列設されると共に、該遊技機で使用するパチンコ玉を貯留する貯留タンクが設けられたパチンコ島台において、
該パチンコ島台は、
前記貯留タンクに設けられ且つパチンコ玉を前記貯留タンクの内外に通過させるための開口部と、
傾斜面によってパチンコ玉を誘導する第１誘導面が形成される第１誘導部材と、
前記第１誘導面と同じ傾斜方向の傾斜面によってパチンコ玉を誘導する第２誘導面が形成されると共に前記第１誘導部材の前記開口部側と反対側の端部に連続的に配置される第２誘導部材と、が設けられ、
前記第１誘導部材と前記第２誘導部材とは、連続的に配置される部分が重なるように配置され、
前記第１誘導部材は、前記第１誘導面の前記開口部側の端部が、前記開口部から突出して該開口部の下端面の上方に位置することにより該下端面を保護する状態と、該下端面の上方に位置しない状態と、の間で任意に取付位置を変更可能であることを特徴とするパチンコ島台。
【請求項２】
前記第１誘導部材の下部には、所定の底面部に当接する取付片が形成され、
該取付片は、前記第１誘導部材を前記所定の底面部に取り付けるための取付部材が挿通される取付穴が形成されると共に、前記第１誘導部材及び前記第２誘導部材を前記所定の底面部に取り付けた際に前記第１誘導面及び前記第２誘導面の下方に形成されるパチンコ玉が進入しないパチンコ玉非進入空間に位置し、
前記第１誘導部材は、前記取付片の前記所定の底面部に対する当接位置を変更することにより、前記貯留タンクに対する取付位置が変更されることを特徴とする請求項１記載のパチンコ島台。
【請求項３】
前記貯留タンクには、前記開口部と該開口部に対面する側壁との間に、上方が開口した断面コ字形状に形成される本体ベースが着脱可能に架け渡され、
前記第１誘導部材及び前記第２誘導部材は、前記第１誘導面の前記開口部側の端部が前記開口部に臨むように前記本体ベースの内部に設けることにより、前記本体ベースと一体的に構成されていることを特徴とする請求項１又は請求項２に記載のパチンコ島台。
【発明の詳細な説明】
【技術分野】
【０００１】
本発明は、複数の遊技機が列設されると共に、該遊技機で使用するパチンコ玉を貯留する貯留タンクが設けられたパチンコ島台に関するものである。
【背景技術】
【０００２】
周知のように、遊技機としてのパチンコ機が設置されるパチンコ島台の上部には、研磨揚送されたパチンコ玉を貯留するための貯留タンクが備えられている。また、パチンコ島台が、貯留タンク間に架け渡される交流樋によってパチンコ玉のやり取りを行なう、いわゆる島交流方式のパチンコ島台である場合には、このパチンコ島台の上部に備えられる貯留タンクの側壁に、交流樋が接続される開口部が形成されている。
【０００３】
この開口部は、交流樋で送られてくるパチンコ玉を受け入れたり、あるいは交流樋へパチンコ玉を送り出す部分であるため、何の保護もされていない場合には、パチンコ玉が直接接することにより破損や変形等を起こすことがあり、特に開口部の下端面ではこの傾向が顕著である。このため、通常、開口部には下端面を保護するために何らかの対策が施されている。
【０００４】
このような開口部を保護するための対策の一つとして、交流樋を貯留タンクに接続する際、交流樋の端部を貯留タンクの内部まで延長して開口部の下端面を交流樋の底面部で完全に覆い、交流樋内のパチンコ玉が開口部の下端面に直接接しないようにすることにより、開口部の下端面を保護するものが提案されている（例えば、特許文献１、特に図３参照）。
【０００５】
ところで、貯留タンクに架け渡される交流樋は約２〜３ｍの長さを有し、美観の観点から、通常、架け渡される貯留タンクの間で分割されることなく形成されている。そして、この交流樋の設置は、交流樋を現場作業員が肩に抱えて持ち上げ、隣り合う貯留タンクのそれぞれの開口部の間に架け渡すことにより行なわれる。
【０００６】
しかしながら、特許文献１に係る貯留タンク及び開口部の場合、上記のように交流樋を設置する際、交流樋の一端部を一方の貯留タンクの開口部からその内部に挿入した状態で、交流樋の他端部を他方の貯留タンクの開口部からその内部に挿入させることとなるが、交流樋の長さが開口部間の距離よりも長いため、交流樋の他端部を他方の貯留タンクの開口部に挿入させる際に、この他方の貯留タンクを傾けなければ、他方の貯留タンクの開口部に挿入できない場合があった。通常、貯留タンクは、２〜３人の作業者によって持ち上げることによりパチンコ島台の上部に設置した後、その設置位置を調整し貯留タンクがパチンコ島台の上部から落ちないように安全性の観点から一旦固定するが、交流樋の設置のために貯留タンクを傾けなければならなくなるとその固定を弛め、多少、貯留タンクの設置位置を移動させなければならなくなる。これでは、再び設置位置を調整しなければならなくなり、貯留タンクを持ち上げ設置した際の設置作業が無駄になってしまう。
【０００７】
また、交流樋の設置の作業自体、交流樋を支える作業員と貯留タンクを傾ける作業員の少なくとも２人の作業員が必要である。このように、上記した特許文献１に係る貯留タンク及び開口部においては、貯留タンクに交流樋を架け渡す作業は、人手と手間のかかる作業であるという問題があった。
【０００８】
そこで、本出願人は、交流樋の長さは、隣り合う貯留タンクの開口部間の長さ程度が適切であると判断し、このような交流樋を開口部間に架け渡すと共に、その両端部をそれぞれ開口部に接続するため、上方が開口した略コ字形状の接続部材を開口部の下部に設け、この接続部材に交流樋を載置する方式を採用した。
【０００９】
しかしながら、上記した方式は、交流樋を貯留タンク間に架け渡す際の人手や手間という点では合理的であるが、開口部の下端面を保護するという当初の課題を解決できるものではなかった。このため、当初の課題を解決するために、本出願人は、更に、交流樋を載置する接続部材の底面端部を開口部の下端面の内側端部まで延長し、接続部材の底面端部を開口部の下端面の上方に位置させることにより開口部の下端面を保護することを考案した。
【特許文献１】特開２００１−３１４６３５号公報
【発明の開示】
【発明が解決しようとする課題】
【００１０】
ところが、延長された接続部材の底面端部によって開口部の下端面を確実に保護できる範囲、即ち、接続部材の底面端部と開口部の貯留タンク内部側の端部とが正確に一致する場合には問題ないが、例えば、製品誤差等により接続部材の底面端部の長さが短い場合や、あるいは貯留タンクが木製であってその厚みが膨張した場合のように、開口部の下端面の長さが変わり、開口部の下端面が露出してしまうと、下端面にパチンコ玉が直接接することにより破損や変形等を起こしてしまう場合があった。
【００１１】
また、反対に接続部材の底面端部の長さが長すぎて、その底面端部が開口部の貯留タンク内部側の端部よりも貯留タンク内部側に突出した場合、貯留タンク内に設けられる構造物、例えば、振分機構に干渉してしまい、振分機構を貯留タンクから取り外す際に接続部材も取り外さなければならないという不具合が生じてしまうという問題があった。振分機構等の貯留タンク内の構造物は、接続部材が取り付けられているか否かに係わらず、取り外すことができるものであることが望ましい。
【００１２】
上記したように、従来技術における貯留タンクには、貯留タンクに形成された開口部の下端面を確実に保護するための部材の位置を微調整するという技術思想はなく、これは、パチンコ島台の上部に設けられる上部貯留タンクに限らず、パチンコ島台内に設けられる下部貯留タンクについても同様であった。
【００１３】
そこで、本発明は、上記した事情に鑑みなされたもので、その目的とするところは、貯留タンクを構成する基体の厚み等が変わった場合であっても、柔軟に貯留タンクの開口部を保護することができるパチンコ島台を提供することにある。
【課題を解決するための手段】
【００１４】
そこで、請求項１に係る発明について、図面を参照して説明すると、図５及び図６に示すように、複数のパチンコ機（遊技機）２が列設されると共に、該パチンコ機２で使用するパチンコ玉を貯留する貯留タンク４が設けられたパチンコ島台１において、該パチンコ島台１は、前記貯留タンク４に設けられ且つパチンコ玉を前記貯留タンク４の内外に通過させるための第１排出口（開口部）１１ａと、傾斜面によってパチンコ玉を誘導する第１誘導面４１が形成される第１誘導部材４０と、前記第１誘導面４１と同じ傾斜方向の傾斜面によってパチンコ玉を誘導する第２誘導面６１が形成されると共に前記第１誘導部材４０の前記第１排出口１１ａ側と反対側の端部に連続的に配置される第２誘導部材６０と、が設けられ、前記第１誘導部材４０と前記第２誘導部材６０とは、連続的に配置される部分が重なるように配置され、前記第１誘導部材４０は、前記第１誘導面４１の前記第１排出口１１ａ側の端部が、前記第１排出口１１ａから突出して前記第１排出口１１ａの下端面１５ａの上方に位置することにより該下端面１５ａを保護する状態と、該下端面１５ａの上方に位置しない状態と、の間で任意に取付位置を変更可能であることを特徴とするパチンコ島台１とした。
【００１５】
また、請求項２に係る発明では、図面を参照して説明すると、図６に示すように、請求項１に記載されるパチンコ島台１は、前記第１誘導部材４０の下部には、底面部材３３（所定の底面部）に当接する第１取付片４２が形成され、該第１取付片４２は、前記第１誘導部材４０を前記底面部材３３に取り付けるための取付部材が挿通される第１取付穴４３が形成されると共に、前記第１誘導部材４０及び前記第２誘導部材６０を前記底面部材３３に取り付けた際に前記第１誘導面４１及び前記第２誘導面６１の下方に形成されるパチンコ玉が進入しないパチンコ玉非進入空間６５ａに位置し、前記第１誘導部材４０は、前記第１取付片４２の前記底面部材３３に対する当接位置を変更することにより、前記貯留タンク４に対する取付位置が変更されることを特徴とするパチンコ島台１とした。
【００１６】
また、請求項３に係る発明では、図面を参照して説明すると、図６及び図７に示すように、請求項１又は請求項２に記載されるパチンコ島台１は、前記貯留タンク４には、前記第１排出口１１ａと該第１排出口１１ａに対面する第２誘導側板（側壁）８４との間に、上方が開口した断面コ字形状に形成される本体ベース３１が着脱可能に架け渡され、前記第１誘導部材４０及び第２誘導部材６０は、前記第１誘導面４１の前記第１排出口１１ａ側の端部が前記第１排出口１１ａに臨むように前記本体ベース３１の内部に設けることにより、前記本体ベース３１と一体的に構成されていることを特徴とするパチンコ島台１とした。
【発明の効果】
【００１７】
請求項１に係る発明においては、パチンコ島台１は、貯留タンク４に設けられ且つパチンコ玉を前記貯留タンク４の内外に通過させるための第１排出口１１ａと、傾斜面によってパチンコ玉を誘導する第１誘導面４１が形成される第１誘導部材４０と、第１誘導面４１と同じ傾斜方向の傾斜面によってパチンコ玉を誘導する第２誘導面６１が形成されると共に第１誘導部材４０の第１排出口１１ａ側と反対側の端部に連続的に配置される第２誘導部材６０と、が設けられ、第１誘導部材４０と第２誘導部材６０とは、連続的に配置される部分が重なるように配置され、第１誘導部材４０は、第１誘導面４１の第１排出口１１ａ側の端部が、第１排出口１１ａから突出して第１排出口１１ａの下端面１５ａの上方に位置することにより下端面１５ａを保護する状態と、下端面１５ａの上方に位置しない状態と、の間で任意に取付位置を変更することができる。このように、第１誘導面４１の第１排出口１１ａ側の端部を第１排出口１１ａから貯留タンク４の外側に突出させることにより、第１誘導面４１の第１排出口１１ａ側の端部によって第１排出口１１ａの下端面１５ａを保護することができる。このため、例えば、第１排出口１１ａに上段交流樋８を接続するため第１排出口１１ａの下部に設けた上段接続部材１２の底面端部を第１排出口１１ａの貯留タンク４内部側の端部まで延長することにより、第１排出口１１ａの下端面１５ａの下端面１５ｂを保護する場合のように、上段接続部材１２が製品誤差により短く形成される、あるいは、貯留タンク４の第１誘導側板８３が膨張する等によって、第１排出口１１ａの下端面１５ａが露出してしまうということがない。また、反対に上段接続部材１２の底面端部が製品誤差等により長く形成されて、貯留タンク４内の構造物に上段接続部材１２の底面端部が干渉してしまうということがない。
【００１８】
このように、本実施形態においては、貯留タンク４を構成する第１誘導側板８３の厚みが膨張等により変化する、あるいは、上段接続部材１２が製品誤差により正確な長さで形成されないような場合であっても、第１排出口１１ａの下端面１５ａを確実に保護することができる。なお、本実施形態においては、第２排出口１１ｂに対しても同様なことが言える。
【００１９】
請求項２に係る発明においては、第１誘導部材４０の下部には、底面部材３３に当接する第１取付片４２が形成され、第１取付片４２は、第１誘導部材４０を底面部材３３に取り付けるための取付部材が挿通される第１取付穴４３が形成されると共に、第１誘導部材４０及び第２誘導部材６０を底面部材３３に取り付けた際に第１誘導面４１及び第２誘導面６１の下方に形成されるパチンコ玉が進入しないパチンコ玉非進入空間６５ａに位置し、第１誘導部材４０は、第１取付片４２の貯留タンク４に対する当接位置を変更することにより、貯留タンク４に対する取付位置が変更される。このように構成することにより、第１誘導面４１及び第２誘導面６１の下方に形成される、パチンコ玉非進入空間６５ａという使用されていない空間を第１取付片４２の配置位置として有効に活用することができる。
【００２０】
また、第１誘導部材４０の貯留タンク４に対する取付位置を変更する際に貯留タンク４に対するその当接位置が変更される第１取付片４２が、パチンコ玉非進入空間６５ａ内に位置しているため外部から見えることがない。このため、第１排出口１１ａの下端面１５ａを保護するための機構の意匠性を高めることができる。
【００２１】
また、第１取付片４２がパチンコ玉非進入空間６５ａ内に位置しているため、第１誘導部材４０を固定するために第１取付片４２に挿通される取付部材にパチンコ玉が接触することがなく、取付部材が破損や損傷等することがない。
【００２２】
請求項３に係る発明においては、貯留タンク４には、第１排出口１１ａと第１排出口１１ａに対面する第２誘導側板８４との間に、上方が開口した断面コ字形状に形成される本体ベース３１が着脱可能に架け渡され、第１誘導部材４０及び第２誘導部材６０は、第１誘導部材４０を第１誘導面４１の第１排出口１１ａ側の端部が第１排出口１１ａに臨むように本体ベース３１の内部に設けることにより、前記本体ベース３１と一体的に構成されている。このように構成することにより、第１誘導部材４０を本体ベース３１に予め組み立てておくことで、第１誘導部材４０及び第２誘導部材６０の組立体として保管し易くなると共に、貯留タンク４等に組み付ける際にも容易に組み付けることができ、作業効率の向上を図ることができる。
【発明を実施するための最良の形態】
【００２３】
以下、図面を参照して本発明の実施形態について説明する。まず、図１を参照して玉磨き揚送装置２０が設置されるパチンコ島台１の概要について説明する。図１は、複数のパチンコ島台１を示す斜視図である。なお、以下の説明において、パチンコ島台１の長手方向（パチンコ機２の左右方向）を左右方向、この左右方向と直交する方向（パチンコ機２の奥行き方向）を前後方向という場合がある。また、玉磨き揚送装置２０を挟んで優先貯留タンクが設置されている側（図１において、玉磨き揚送装置収納部３の左側）を優先側、非優先貯留タンクが設置されている側（図１において、玉磨き揚送装置収納部３の右側）を非優先側という場合がある。
【００２４】
図１において、パチンコ島台１は、周知のように、直方体状に枠組み構成され、その長手方向両面に複数のパチンコ機（遊技機）２を背向列設するようになっている。パチンコ島台１のほぼ中央には、玉磨き揚送装置２０（図２参照）が内部に設置される玉磨き揚送装置収納部３が設けられている。本実施形態に係る玉磨き揚送装置２０は、帯状の搬送ベルト２１（図２参照）によってパチンコ玉を揚送するものであり、パチンコ島台１の長手方向と直交するように配置されて下部の導入樋（図示しない）から導入されたパチンコ玉を研磨部材（図示しない，布ベルト等）によって研磨しながら上部に揚送し、上部の排出樋部２２（図２参照）からパチンコ島台１の上部に設けられる上部貯留タンクとしての貯留タンク４に排出するものである。玉磨き揚送装置２０により貯留タンク４に揚送されたパチンコ玉は、貯留タンク４に接続された補給樋（図示しない）によってパチンコ機２の背面上部に設けられた賞球タンク（図示しない）に供給され、景品玉や遊技玉として使用される。なお、図１において、一番右に描かれているパチンコ島台１が片面島であり、その他は、両面島と言われるパチンコ島台である。
【００２５】
一方、パチンコ機２で使用されたパチンコ玉は、パチンコ機２の下方に設けられたアウト玉回収樋（図示しない）により回収された後、パチンコ島台１の下部に備えられた下部貯留タンクとしての優先貯留タンク及び非優先貯留タンク（図示しない）に導かれる。そして、この優先貯留タンク及び非優先貯留タンクから再び玉磨き揚送装置２０によって貯留タンク４へ揚送される。これによってパチンコ玉がパチンコ島台１内を循環する。
【００２６】
また、本実施形態では、遊技場内に設置されている全てのパチンコ島台１が、パチンコ島台１毎で保有しているパチンコ玉の玉量がほぼ均等になるように、パチンコ島台１間に上段交流樋８及び下段交流樋９を架け渡し、周知の均一制御（特願平８−２６７８０８号公報参照）を経て、パチンコ玉のやり取りを行っている。なお、パチンコ島台１間のパチンコ玉のやり取りは、排出口（開口部）１０から流出し、上段交流樋８を通り、上段交流樋８と下段交流樋９とが連結された連結部１４で下段交流樋９へ誘導され、隣接するパチンコ島台１の導入口（開口部）１１から貯留タンク４へ取り込まれた後、優先貯留タンク又は非優先貯留タンク（図示しない）に誘導される。
【００２７】
なお、上記した上段交流樋８は、図１の部分拡大図に示すように、隣接するパチンコ島台１にパチンコ玉を供給する際にパチンコ玉を排出するための排出口（開口部）１０に接続されるものである。この排出口１０の下方には、上方が開口したコ字形状の上段接続部材１２が取り付けられており、上段交流樋８の端部の底面をこの上段接続部材１２が下方から支えることにより、上段交流樋８が排出口１０に対して取り付けられる。
【００２８】
また、上記した下段交流樋９は、図１の部分拡大図に示すように、隣接するパチンコ島台１から供給されるパチンコ玉を受け入れるための導入口（開口部）１１に接続されるものである。導入口１１の下方には、上方が開口したコ字形状の下段接続部材１３が取り付けられており、下段交流樋９の端部の底面をこの下段接続部材１３が下方から支えることにより、下段交流樋９が導入口１１に対して取り付けられる。
【００２９】
しかして、隣接するパチンコ島台１へのパチンコ玉の供給が十分になると、貯留タンク４内のパチンコ玉は、次に、オーバーフローダクト（図示しない）を介して優先貯留タンク（図示しない）に導かれ、この優先貯留タンク（図示しない）もパチンコ玉で満タンになると非優先貯留タンク（図示しない）に導かれるようになる。なお、貯留タンク４内でのパチンコ玉の流れについては、後に詳述する。
【００３０】
一方、パチンコ島台１の長手方向の一端部には、遊技者が獲得した賞品玉を返却して計数するための玉返却装置５が備え付けられている。この玉返却装置５は、非優先貯留タンク（図示しない）が内蔵される端部に設けられることが望ましい。これは、通常の営業状態でほとんど満杯状態となることのない非優先貯留タンク（図示しない）の方が、玉返却装置５からの賞球の返却を確実に行うことができるからである。しかして、玉返却装置５に返却されたパチンコ玉は、非優先貯留タンク（図示しない）内に誘導され、貯留されることとなる。
【００３１】
また、上記した玉返却装置５の上方には、優先貯留タンク（図示しない）内のパチンコ玉の貯留状態を示す優先側貯留状態表示器６ａ及び、非優先貯留タンク（図示しない）内のパチンコ玉の貯留状態を示す非優先側貯留状態表示器６ｂが備えられている。優先側貯留状態表示器６ａは、優先貯留タンク（図示しない）内に設けられた貯留センサ（図示しない）がパチンコ玉を検出することにより発信する検出信号に対応して、点灯されることにより優先貯留タンク（図示しない）内のパチンコ玉の貯留状態を把握するためのものである。
【００３２】
同様に、非優先側貯留状態表示器６ｂは、非優先貯留タンク（図示しない）内に設けられた貯留センサ（図示しない）がパチンコ玉を検出することにより発信する検出信号に対応して、点灯されることにより非優先貯留タンク（図示しない）内のパチンコ玉の貯留状態を把握するためのものである。
【００３３】
更に、優先側貯留状態表示器６ａ，非優先側貯留状態表示器６ｂの上方には、代表ランプ７が設けられている。この代表ランプ７は、パチンコ機２に設けられたスイッチ（図示しない）を遊技者が押すことにより点灯するものであり、パチンコ機２で玉詰まりを起こしたとき等に遊技者が遊技場の係員にその旨を報知するためのものである。
【００３４】
以上、パチンコ島台１の概要について説明したが、次に、本実施形態の要部を構成する貯留タンク４及びこの貯留タンク４に設けられる振分機構３０について、図２乃至図１２を参照して説明する。図２は、貯留タンク４，振分機構３０及び玉磨き揚送装置２０の関係を示す斜視図であり、図３は、振分機構３０の分解斜視図であり、図４は、振分機構３０を組み立てた状態の斜視図であり、図５は、振分機構３０の組み立てる状態を示す側面図であり、図６は、振分機構３０を組み立てた状態の側面図であり、図７は、貯留タンク４内にパチンコ玉が誘導される状態を示す斜視図であり、図８は、貯留タンク４内のパチンコ玉が振分機構３０側に誘導される状態を示す斜視図であり、図９は、貯留タンク４内のパチンコ玉がオーバーフロー側に誘導される状態を示す斜視図であり、図１０は、振分機構３０において、パチンコ玉の上部誘導面７１上の位置の違いによる振り分け方向の違いを示す側面図であり、図１１は、上部誘導面７１上で近接する２つのパチンコ玉の振分方向の違いを示す側面図であり、図１２は、パチンコ玉を一方向に誘導する構造の振分機構３０の分解斜視図である。
【００３５】
図２において、図２に示す貯留タンク４は、図１に示す貯留タンク４の非優先側の一部を示しており、優先側の側壁を構成する優先側板８１，非優先側の側壁を構成する非優先側板８２，後述する振分機構３０の第１誘導面４１側の側壁を構成する第１誘導側板８３，後述する振分機構３０の第２誘導面６１側の側壁を構成する第２誘導側板８４，上面を構成する上面板９５（図１参照）等の複数の部材を組み合わせることにより立方体形状に形成されるものである。なお、図２において、玉磨き揚送装置２０が設置されている側（図中、左側）が優先側であり、玉磨き揚送装置２０が設置されている側と反対側（図中、右側）が非優先側である。
【００３６】
上記した貯留タンク４を構成する部材のうち、優先側板８１の上部には玉磨き揚送装置２０の排出樋部２２から排出されたパチンコ玉を貯留タンク４内に受け入れるための受入口８５が形成されている。また、第１誘導側板８３の下方には、振分機構３０によって第１誘導面４１側に振り分けられたパチンコ玉を排出するための第１排出口１１ａが形成されている。更に、第２誘導側板８４の下方には、振分機構３０によって第２誘導面６１側に振り分けられたパチンコ玉を排出するための第２排出口１１ｂが形成されている。なお、これら第１排出口１１ａ及び第２排出口１１ｂは、図１で言えば、排出口１０と連通しており、図１でいうところの導入口１１と連通している箇所は、図２（図５乃至図９も同様）では省略して描かれている。
【００３７】
また、貯留タンク４内の下部は、貯留タンク４に貯留されたパチンコ玉の補給樋（図示しない）への誘導，振り分け及びオーバーフローダクトへの誘導を行なうための貯留タンク底部８０として形成されている。具体的には、まず、貯留タンク底部８０の中央部には、その上部に振分機構３０が載置される載置部材８６が、第１排出口１１ａと第２排出口１１ｂとの間に架け渡されるように設けられている。この載置部材８６は、その上面の中央部分は振分機構３０が載置される載置面８７として形成されると共に、この載置面８７の両側方は振分機構３０の載置位置を決める位置決め凸部８８として、載置面８７よりも上方側に突出して形成されている。
【００３８】
また、載置部材８６の非優先側の側方には、貯留タンク４内のパチンコ玉を補給樋に向けて誘導するための第１補給誘導面８９，第２補給誘導面９０及び補給誘導穴９１が設けられている。第１補給誘導面８９は、第１誘導側板８３側から第１誘導側板８３と第２誘導側板８４との間のほぼ中央に向けて下り傾斜して形成されるものであり、第２補給誘導面９０は、第２誘導側板８４側から第１誘導側板８３と第２誘導側板８４との間のほぼ中央に向けて下り傾斜して形成されるものである。そして、第１補給誘導面８９の下流端及び第２補給誘導面９０の下流端が形成される位置に補給誘導穴９１が形成されている。
【００３９】
一方、載置部材８６の優先側の側方には、貯留タンク４内のパチンコ玉をオーバーフローダクトを介して優先貯留タンク又は非優先貯留タンク（図示しない）に誘導するためのオーバーフロー誘導面９２及びオーバーフロー誘導穴９３が設けられている。オーバーフロー誘導面９２は、第２誘導側板８４側から第１誘導側板８３に向けて下り傾斜して形成されるものであり、このオーバーフロー誘導面９２の下流端の近傍にオーバーフロー誘導穴９３が形成されている。
【００４０】
以上、貯留タンク４の構成について説明したが、次に、振分機構３０の構成について説明する。振分機構３０は、主として、パチンコ玉を振り分けるための振分頂部６３が形成されている山型形状の振分部と、下り傾斜状に形成される上部誘導面７１と、から構成されている。
【００４１】
上記した振分部は、傾斜面によってパチンコ玉を誘導する第１誘導面４１が形成される第１誘導部材４０と、第１誘導面４１と反対の傾斜方向の傾斜面によってパチンコ玉を誘導する第３誘導面５１が形成される第３誘導部材５０と、第１誘導面４１と同じ傾斜方向の傾斜面によってパチンコ玉を誘導する第２誘導面６１及び、第３誘導面５１と同じ傾斜方向の傾斜面によってパチンコ玉を誘導する第４誘導面６２によって形成される振分頂部６３を含む第２誘導部材６０と、により構成されるものである。
【００４２】
また、振分機構３０は、上方が開口した断面コ字形状に形成される本体ベース３１の上部の一側方に上部誘導面７１を設け、更に、振分機構３０を組み立てて貯留タンク４に装着した場合に、図６に示すように、第１誘導面４１及び第３誘導面５１の下流側がそれぞれ第１排出口１１ａ及び第２排出口１１ｂに臨むように、第１誘導部材４０，第２誘導部材６０及び第３誘導部材５０を本体ベース３１の内部に設けることにより、本体ベースと３１と一体的に構成されるものである。
【００４３】
そこで、振分機構３０を構成する上記した各部材について、以下に説明する。まず、本体ベース３１は、図３に示すように、本体ベース３１の底部を構成する鉄板を略コの字状に形成した底板部材３３の左右両側方に、長方形状の側板部材３２を取付ネジ３６によって取り付けることにより、上記したように上方が開口した断面コ字形状に形成されるものである。この本体ベース３１の上部の一側方には、振分機構３０を組み立てた際、第１誘導面４１及び第２誘導面６１の上方に位置する上部誘導部材７０が設けられており、この上部誘導部材７０の上面は、第２誘導面６１の上流側にパチンコ玉を落下させるように誘導面が下り傾斜状に配置される上部誘導面７１が形成されている。
【００４４】
また、上部誘導面７１が形成されていない他方の側板部材３２の上方隅角部は、取付ネジ３６で取り付けられた連結部材３５によって連結されているため、本体ベース３１の強度が高められている。更に、底板部材３３の長手方向の両端部には、振分機構３０を組み立てた際に、後述する第１誘導部材４０の第１係止部４５及び第３誘導部材５０の第３係止部５５がそれぞれ係止される、係止片３４ａ（図５，６参照），３４ｂが突設されている。
【００４５】
次に、第１誘導部材４０は、図３に示すように、その上部にパチンコ玉を一方向に誘導するための第１誘導面４１が形成されている。この第１誘導面４１は、振分機構３０を組み立てて貯留タンク４に装着した場合に、貯留タンク４の第１排出口１１ａ側に臨むように下り傾斜するように形成されている。また、第１誘導面４１の両側方の下部には、第１誘導部材４０を本体ベース３１の内部に取り付けた際、本体ベース３１の底板部材３３に当接する第１側片４４が形成されている。この第１側片４４の第１誘導面４１の下流側の下方には、係止片３４ａに係止する第１係止部４５が形成されている。
【００４６】
また、第１誘導面４１の上流側の下方には、第１誘導部材４０を本体ベース３１の内部に取り付けた際、本体ベース３１の底板部材３３に当接する第１取付片４２が形成されている。この第１取付片４２は、Ｌ字形状に形成されると共に、底板部材３３に当接する面に、第１誘導部材４０を本体ベース３１に固定するための取付ネジ等（取付部材；図示しない）が挿通される第１取付穴４３が２箇所形成されている。この第１取付穴４３は、第１誘導部材４０の長手方向で長穴形状に形成されるものである。
【００４７】
次に、第３誘導部材５０は、図３に示すように、その上部にパチンコ玉を第１誘導部材４０とは反対方向に誘導するための第３誘導面５１が形成されている。なお、第３誘導部材５０は、本体ベース３１に取り付ける際に第１誘導部材４０と反対の方向に取り付けるものであるため、第１誘導部材４０とは反対方向にパチンコ玉を誘導するものであるが、その形状は第１誘導部材４０とまったく同様である。このため、第３誘導部材５０の詳細な説明は省略する。なお、第１誘導部材４０における第１取付片４２，第１取付穴４３，第１側片４４及び第１係止部４５は、第３誘導部材５０における第３取付片５２，第３取付穴５３，第３側片５４及び第３係止部５５と対応している。
【００４８】
このように、第１誘導部材４０と第３誘導部材５０とは、同一の形状で形成されているため、第１誘導部材４０と第３誘導部材５０とを同一部材で共用することができるため、部品点数の削減による製造コストの低減を図ることができる。
【００４９】
次に、第２誘導部材６０は、図６に示すように、その上部に第２誘導面６１と第４誘導面６２とにより形成されるパチンコ玉を振り分けるための振分頂部６３が形成されている。第４誘導面６２は、第２誘導面６１よりも急な勾配の傾斜面によって形成されると共に、その流下方向の長さは第２誘導面６１の流下方向の長さよりも短く形成されている。従って、振分頂部６３は、第２誘導部材６０の長手方向の中央よりも、第３誘導部材５０側に位置している。また、第２誘導面６１及び第４誘導面６２の両側方の下部には、第２誘導部材６０を本体ベース３１の内部に取り付けた際、本体ベース３１の底板部材３３に当接する第２側片６４が形成されている。
【００５０】
しかして、上記した各部材によって、振分機構３０を組み立てるには、図５に示すように、まず、第１誘導部材４０を第１取付片４２及び第１側片４４が底板部材３３に当接するように本体ベース３１内に設置し、第１取付片４２の第１取付穴４３（図３参照）に挿通した取付ネジ（図示しない）を底板部材３３に形成された取付ネジ穴（図示しない）に螺着する。同様に、第３誘導部材５０を第３取付片５２及び第３側片５４が底板部材３３に当接するように本体ベース３１内に設置し、第３取付片５２の第３取付穴５３（図３参照）に挿通した取付ネジ（図示しない）を底板部材３３に形成された取付ネジ穴（図示しない）に螺着する。
【００５１】
このとき、取付ネジは仮止めの状態にしておく。ここで、取付ネジが挿通される第１取付穴４３及び第３取付穴５３は、前述したように、第１誘導部材４０及び第３誘導部材５０の長手方向で長穴状に形成されているため、取付ネジが仮止めの状態のときには、第１誘導部材４０及び第３誘導部材５０は、第１取付穴４３及び第３取付穴５３の長さの範囲で移動させることができる。
【００５２】
上記のように、本体ベース３１に仮止めされた第１誘導部材４０及び第３誘導部材５０を、第１誘導面４１及び第３誘導面５１の下流端が本体ベース３１の内部に位置するように本体ベース３１の中央方向に移動させておく。このように、第１誘導部材４０及び第３誘導部材５０が仮止めされた状態の本体ベース３１を、貯留タンク４の貯留タンク底部８０に形成された載置面８７（図２参照）に載置する。本体ベース３１を載置面８７に載置した後、第１誘導部材４０及び第３誘導部材５０を図５の矢印Ａ，Ｂで示す方向にそれぞれ移動させて、図６に示すように、第１誘導面４１及び第３誘導面５１の下流端を貯留タンク４の外側に突出させる。このとき、第１誘導部材４０及び第３誘導部材５０にそれぞれ形成された第１係止部４５及び第３係止部５５が、本体ベース３１の係止片３４ａ，３４ｂに係止し、第１誘導部材４０及び第３誘導部材５０の移動を規制する。
【００５３】
上記のように、第１誘導面４１及び第３誘導面５１の下流端が貯留タンク４の外側に突出した状態で、第１誘導部材４０及び第３誘導部材５０を仮止めしていた取付ネジを締め付けることにより、第１誘導部材４０及び第３誘導部材５０が固定される。そして、第１誘導部材４０及び第３誘導部材５０が固定された状態で、図５に示すように、第２誘導部材６０を本体ベース３１の上方から第１誘導部材４０と第３誘導部材５０との間に取り付けることにより、振分機構３０が組み立てられることとなる。
【００５４】
このように、振分機構３０が組み立てられた状態では、第１誘導部材４０と第２誘導部材６０とが連続的に配置されるが、この第２誘導部材６０は第１誘導部材４０の第１排出口１１ａ側と反対側の端部に連続的に配置されるものである。  同様に、振分機構３０が組み立てられた状態では、第３誘導部材５０と第２誘導部材６０とが連続的に配置されるが、この第２誘導部材６０は第３誘導部材５０の第２排出口１１ｂ側と反対側の端部に連続的に配置されるものである。
【００５５】
第１誘導部材４０と第２誘導部材６０とは、上記のように連続的に配置されるものであるが、この連続する部分、即ち、第１誘導面４１の上流端と第２誘導面６１の下流端とは、第２誘導面６１の下流端が第１誘導面４１の上流端に対して上方から重なるように配置されるものである。また、同様に、第３誘導部材５０と第２誘導部材６０とは、上記のように連続的に配置されるものであるが、この連続する部分、即ち、第３誘導面５１の上流端と第４誘導面６２の下流端とは、第４誘導面６２の下流端が第３誘導面５１の上流端に対して上方から重なるように配置されるものである。
【００５６】
更に、振分機構３０が組み立てられた状態では、第１誘導面４１及び第２誘導面６１の上方に上部誘導面７１が位置することとなる。なお、このように貯留タンク４内に振分機構３０が設けられた状態では、貯留タンク４の第１補給誘導面８９と上部誘導面７１とは、ほぼ平行となるように構成されている。
【００５７】
上記のように、第１誘導面４１及び第２誘導面６１の下流側が、それぞれ第１排出口１１ａ及び第２排出口１１ｂから貯留タンク４の外側まで延設されて、第１排出口１１ａ及び第２排出口１１ｂの下端面１５ａ，１５ｂがそれぞれ第１誘導面４１及び第２誘導面６１の下流側の下方に位置するため、第１誘導面４１及び第２誘導面６１により第１排出口１１ａ及び第２排出口１１ｂを介して貯留タンク４からパチンコ玉が排出される際、第１排出口１１ａ及び第２排出口１１ｂの下端面１５ａ，１５ｂにパチンコ玉が衝突することがなく、第１排出口１１ａ及び第２排出口１１ｂが破損や変形をしてしまうという不具合を回避することができる。
【００５８】
また、第１誘導部材４０及び第３誘導部材５０は、上記したように、取付ネジを緩めることにより、第１取付穴４３及び第３取付穴５３の長さの範囲で移動させることができる。即ち、図５及び図６に示すように、第１誘導面４１の下流側及び第３誘導面５１の下流側は、それぞれ第１排出口１１ａ及び第２排出口１１ｂから貯留タンク４の外側に突出して第１排出口１１ａ及び第２排出口１１ｂの下端面１５ａ，１５ｂを保護する状態と、貯留タンク４の内部に収納される状態と、の間で任意に貯留タンク４に対する取付位置が変更可能である。これにより、製品誤差等により、多少、第１誘導側板８３又は第２誘導側板８４の板厚が変わっても微調整が可能である。
【００５９】
このため、例えば、第１排出口１１ａ及び第２排出口１１ｂに上段交流樋８を接続するため第１排出口１１ａ及び第２排出口１１ｂの下部に設けた上段接続部材１２の底面端部を第１排出口１１ａ及び第２排出口１１ｂの貯留タンク４内部側の端部まで延長することにより、第１排出口１１ａの下端面１５ａ及び第２排出口１１ｂの下端面１５ｂを保護する場合のように、上段接続部材１２が製品誤差により短く形成される、あるいは、貯留タンク４の第１誘導側板８３及び第２誘導側板８４が膨張する等によって第１排出口１１ａの下端面１５ａ及び第２排出口１１ｂの下端面１５ｂが露出してしまうということがない。また、反対に上段接続部材１２の底面端部が製品誤差等により長く形成されて貯留タンク４内の構造物に上段接続部材１２の底面端部が干渉してしまうということがない。
【００６０】
このように、本実施形態においては、貯留タンク４を構成する第１誘導側板８３及び第２誘導側板８４の厚みが膨張等により変化する、あるいは、上段接続部材１２が製品誤差により正確な長さで形成されないような場合であっても、第１排出口１１ａの下端面１５ａ及び第２排出口１１ｂの下端面１５ｂを確実に保護することができる。
【００６１】
また、上記のように、第１誘導面４１の第１排出口１１ａ側の端部及び第３誘導面５１の第２排出口１１ｂ側の端部を、それぞれ第１排出口１１ａ及び第２排出口１１ｂから貯留タンク４の外側に突出させることにより、第１誘導面４１の第１排出口１１ａ側の端部によって第１排出口１１ａの下端面１５ａを、第３誘導面５１の第２排出口１１ｂ側の端部によって第２排出口１１ｂの下端面１５ｂをそれぞれ保護することができるため、下端面１５ａ及び下端面１５ｂを保護するために交流樋の端部を貯留タンク４の内部まで延長して下端面１５ａ及び下端面１５ｂを交流樋の底面部で覆う必要がなくなる。このため、端部が延長された貯留タンク４間の距離よりも長い交流樋が不要となり、貯留タンク４間の距離と同じ長さ程度の交流樋を用いることができる。
【００６２】
このように、第１誘導面４１の第１排出口１１ａ側の端部及び第３誘導面５１の第２排出口１１ｂ側の端部を、それぞれ第１排出口１１ａ及び第２排出口１１ｂから貯留タンク４の外側に突出させることにより、下端面１５ａ及び下端面１５ｂがそれぞれ第１誘導部材４０及び第３誘導部材５０の下方に位置することとなるため、パチンコ玉が下端面１５ａ及び下端面１５ｂに直接接することがなく、下端面１５ａ及び下端面１５ｂを保護することができると共に、貯留タンク４間に交流樋を架け渡す際、貯留タンク４間の距離よりも長い交流樋を貯留タンク４間に架け渡すときのように貯留タンク４を傾ける必要がない。
【００６３】
また、振分機構３０が組み立てられた状態では、第１誘導部材４０に形成される第１取付片４２及び第３誘導部材５０に形成される第３取付片５２は、それぞれ第２誘導面６１及び第４誘導面６２の下方、即ち、第２誘導部材６０の下方に形成されるパチンコ玉が進入しないパチンコ玉非進入空間６５ａ，６５ｂに位置しているため、第２誘導面６１及び第４誘導面６２の下方に形成される、パチンコ玉非進入空間６５ａ，６５ｂというデッドスペースを第１取付片４２及び第３取付片５２の配置位置として有効に活用することができる。
【００６４】
また、第１取付片４２及び第３取付片５２が、パチンコ玉非進入空間６５ａ，６５ｂ内に位置しているため外部から見えることがない。このため、第１排出口１１ａ及び第２排出口１１ｂの下端面１５ａ，１５ｂを保護する構造の意匠性を高めることができる。
【００６５】
また、第１取付片４２及び第３取付片５２がパチンコ玉非進入空間６５ａ，６５ｂ内に位置しているため、第１誘導部材４０及び第３誘導部材５０を固定するための第１取付片４２及び第３取付片５２に挿通される取付ネジ（図示しない）にパチンコ玉が接触することがなく、取付ネジ（図示しない）が損傷や破損等することがない。
【００６６】
また、上記のように、振分機構３０は、本体ベース３１の上部の一側方に上部誘導面７１を設けると共に、第１誘導面４１及び第３誘導面５１をその下流側がそれぞれ第１排出口１１ａ及び第２排出口１１ｂに臨むように本体ベース３１の内部に設けることにより、本体ベース３１と一体的に構成されているため、振分機構３０を本体ベース３１に予め組み立てておくことにより、振分機構３０の組立体として保管し易くなると共に、貯留タンク４等に組み付ける際にも容易に組み付けることができ、作業効率の向上を図ることができる。
【００６７】
以上、振分機構３０の構成について説明したが、次に、貯留タンク４内でのパチンコ玉の流れについて説明する。
【００６８】
図７において、玉磨き揚送装置２０の排出樋部２２から排出されたパチンコ玉は、貯留タンク４の受入口８５から貯留タンク４内の非優先側に排出される。貯留タンク４内の非優先側に排出されたパチンコ玉は、第１補給誘導面８９及び第２補給誘導面９０によって補給誘導穴９１に誘導され、補給誘導穴９１から補給樋を介してパチンコ機２へ供給される。パチンコ機２へのパチンコ玉の供給が十分になり補給樋にパチンコ玉が充満すると、図８に示すように、第１補給誘導面８９上にパチンコ玉が徐々に堆積されていく。
【００６９】
ここで、玉磨き揚送装置２０の排出樋部２２から排出されるパチンコ玉は、第１補給誘導面８９の非優先側板８２側に向けて排出されるものであるため、パチンコ玉が第１補給誘導面８９上に堆積される際には、図９に示すように、その上面が非優先側板８２側から振分機構３０側に向けて下り傾斜するように堆積されていく。
【００７０】
また、前述したように、第１補給誘導面８９と第３誘導面７１とは、ほぼ平行となるように形成されているため、パチンコ玉が第１補給誘導面８９上に堆積される際には、その上面が上述のように非優先側板８２側から振分機構３０側に向けて下り傾斜すると同時に、その振分機構３０側の下流端が第３誘導面７１とほぼ平行となるように堆積されていく。このように、第１補給誘導面８９上に堆積されるパチンコ玉の振分機構３０側の下流端と第３誘導面７１とがほぼ平行となるため、堆積されたパチンコ玉が第３誘導面７１に誘導される際には、堆積されたパチンコ玉の上部且つ第３誘導面７１の長手方向略全体がそのまま平行移動するように誘導される。即ち、第３誘導面７１がパチンコ玉をその側方から、第３誘導面７１の誘導面の長手方向略全体に亘って取り込む状態となる。
【００７１】
このように、少なくとも、堆積されるパチンコ玉の上面の振分機構３０側の辺が第３誘導面７１とほぼ平行となっていれば、パチンコ玉を第３誘導面７１の誘導面の長手方向略全体に亘って取り込むことができる。
【００７２】
このように、上部誘導面７１の誘導面の長手方向略全体に亘って取り込まれたパチンコ玉は、図８に示すように、上部誘導面７１を流下した後、第２誘導面６１の上流側に落下し、第２誘導面６１側と第４誘導面６２側に振り分けられることとなる。なお、この振り分けの状態に関しては、後に詳述する。
【００７３】
振分機構３０によって振り分けられたパチンコ玉は、それぞれ第１排出口１１ａ及び第２排出口１１ｂから下段交流樋９を介して隣接するパチンコ島台１へ供給されるが、隣接するパチンコ島台１の貯留タンク４でパチンコ玉が充満し、更に下段交流樋９もパチンコ玉で充満した場合には、貯留タンク４内のパチンコ玉は、図９に示すように、オーバーフロー誘導面９２側へ誘導される。そして、オーバーフロー誘導面９２へ誘導されたパチンコ玉は、オーバーフロー誘導面９２を流下してオーバーフロー誘導穴９３からオーバーフローダクトを介して優先貯留タンク及び非優先貯留タンクへ導かれることとなる。
【００７４】
次に、上記した振分機構３０によって行なわれるパチンコ玉の振り分けの作用について説明する。上述のように、第１補給誘導面８９上に堆積されて溢れたパチンコ玉は、上部誘導面７１の側方から、上部誘導面７１の誘導面の長手方向略全体に亘って取り込まれる。このように上部誘導面７１で取り込まれるパチンコ玉のうち、図１０（Ａ）で示すように、上部誘導面７１の上流側（図中Ａで表示される範囲）で取り込まれたパチンコ玉は、上部誘導面７１を流下して下流端から排出される際の速度が速いため、その第２誘導面６１への落下位置での速度も速く、更に第４誘導面６２に近い位置となる。このため、パチンコ玉は振分頂部６３を乗り越えて第４誘導面６２側へ振り分けられ易くなる。このように、上部誘導面７１の上流側で取り込まれたほとんどのパチンコ玉は、第４誘導面６２側へ振り分けられることとなる。
【００７５】
また、上部誘導面７１で取り込まれるパチンコ玉のうち、図１０（Ｂ）で示すように、上部誘導面７１の中央付近（図中Ｂで表示される範囲）で取り込まれたパチンコ玉は、上部誘導面７１を流下して下流端から排出される際の速度が上記した上部誘導面７１の上流側で取り込まれたパチンコ玉ほどは速くないため、その第２誘導面６１への落下位置での速度も上部誘導面７１の上流側で取り込まれたパチンコ玉と比べてやや遅く、また、第４誘導面６２からの距離も上部誘導面７１の上流側で取り込まれたパチンコ玉と比べてやや遠い位置となる。このため、パチンコ玉は振分頂部６３を乗り越えて第４誘導面６２側へ振り分けられものと、そのまま第２誘導面６１を流下していくものとに分かれることとなる。
【００７６】
また、上部誘導面７１で取り込まれるパチンコ玉のうち、図１０（Ｃ）で示すように、上部誘導面７１の下流側（図中Ｃで表示される範囲）で取り込まれたパチンコ玉は、上部誘導面７１を流下して下流端から排出される際の速度が遅いため、その第２誘導面６１への落下位置での速度も遅く、更に第４誘導面６２から遠い位置となる。このため、パチンコ玉は振分頂部６３を乗り越えずにそのまま第２誘導面６１を流下していき易くなる。このように、上部誘導面７１の下流側で取り込まれたほとんどのパチンコ玉は、第２誘導面６１を流下していくこととなる。
【００７７】
なお、上記した上部誘導面７１の上流側，中央付近，下流側を図中の記号Ａ，Ｂ，Ｃで表示する範囲で示したが、このＡ，Ｂ，Ｃで表示する範囲の流下方向の長さは、ほぼ同じ長さに設定している。即ち、上部誘導面７１の流下方向でほぼ３等分した範囲をそれぞれ上流側，中央付近，下流側としている。
【００７８】
上記したように、上部誘導面７１で取り込まれたパチンコ玉は、取り込まれた位置が上部誘導面７１の上流側であるほど落下する位置が第４誘導面６２に近づいた第２誘導面６１上であって、転動の勢いで振分頂部６３を乗り越えて第４誘導面６２側へ振り分けられ易くなり、取り込まれた位置が上部誘導面７１の下流側であるほど落下する位置が第４誘導面６２から離れた第２誘導面６１上であって、転動の勢いに関わらず第２誘導面６１側へ振り分けられ易くなる。このように構成することにより、上部誘導面７１から第２誘導面６１に落下するパチンコ玉の位置によって、第２誘導面６１側と第４誘導面６２側とのいずれに振り分けられ易いかが決定することになるが、即ち、パチンコ玉が上部誘導面７１のの長手方向において、誘導面のどの箇所で取り込まれたかによって、第２誘導面６１側に振り分けられるか、それとも第４誘導面６２側に振り分けられるかが決定することになるが、上部誘導面７１ではその誘導面の長手方向略全体に亘ってパチンコ玉が取り込まれるため、第２誘導面６１上の第４誘導面６２に近い位置から遠い位置まで満遍なくパチンコ玉が落下し、これにより、第２導面６１側と第４誘導面６２側とにほぼ均等にパチンコ玉が振り分けられることとなる。
【００７９】
このように、本実施形態に係る振分機構３０では、従来の振分機構のように、パチンコ玉を振分頂部に対して垂直にパチンコ玉を投入あるいは投下するという必要条件を満たすことなく、パチンコ玉を二方向にほぼ均等に振り分ける振分機構３０を構成することができる。
【００８０】
従って、貯留タンク４若しくは貯留タンク４が設けられるパチンコ島台１の設計において、従来の振分機構の他に、上記した必要条件を満たす必要のない別の振分方法に基づいて構成された振分機構３０という新たな振分機構を提案することで、振分機構の選択肢を増やし、これにより、貯留タンク４若しくは貯留タンク４が設けられるパチンコ島台１における設計上の制約が緩和されると同時に設計上の自由度を広げることができ、ひいては、コンパクトで機能的な貯留タンク４若しくはパチンコ島台１の実現に寄与することができる。
【００８１】
なお、上部誘導面７１の上流側で取り込まれたパチンコ玉であっても、例えば、図１１に示すように、互いに接する２つのパチンコ玉が上部誘導面７１を流下して第２誘導面６１に落下した際、２つのパチンコ玉が互いに力を及ぼし合うことにより、一方のパチンコ玉は振分頂部６３を乗り越えて第４誘導面６２側へ誘導され、他方のパチンコ玉は第２誘導面６１をそのまま流下していく場合がある。同様に、図１１に示すように、上部誘導面７１の中央付近及び下流側で取り込まれたパチンコ玉も同様に、一方のパチンコ玉は振分頂部６３を乗り越えて第４誘導面６２側へ誘導され、他方のパチンコ玉は第２誘導面６１をそのまま流下していく場合がある。
【００８２】
以上、本実施形態に係る振分機構３０について説明したが、本実施形態に係る振分機構３０は、上記した第２誘導部材６０の振分頂部６３の形成位置が異なるものに交換することにより、上部誘導面７１から落下するパチンコ玉の所定の落下位置に対して振分頂部６３の相対的な位置を変えてパチンコ玉の振分割合を変化させることができるものである。このため、あるパチンコ島台１の両側方に位置するパチンコ島台１にそれぞれ送り出すパチンコ玉の振分割合が複数種類ある等の事情により、貯留タンク４のパチンコ玉の振分割合が異なる複数の振分機構３０を必要とする場合であっても、それぞれのパチンコ島台１に対応させて個別に振分機構３０全体を製造する必要がなく、第２誘導部材６０だけを交換することにより、それぞれのパチンコ島台１に対応した振分割合の振分機構３０とすることができる。このように、第２誘導部材６０以外の部材を共通化することができため、振分機構３０の製造コストの低減を図ることができる。
【００８３】
また、本実施形態に係る振分機構３０は、貯留タンク４内のパチンコ玉を二方向に振り分けるものを示したが、これに限らず、第１誘導部材４０及び第２誘導部材６０に代えて、例えば、図１２に示すような第３誘導部材５０と同じ傾斜方向の片側誘導面１０１と片側誘導側片１０２とから構成される片側誘導部材１００を備えることにより、一方向にのみパチンコ玉を流下させるものであってもよい。このように構成することにより、遊技場の壁面に設置され、貯留タンク４内のパチンコ玉を振り分ける必要のない、いわゆる片面島の貯留タンクに用いることができる。なお、この場合、本実施形態に係る振分機構３０の第１誘導部材４０及び第２誘導部材６０に代えて、片側誘導部材１００を取り付けることにより、片面島用のものとすることができるため、第２誘導部材６０以外の部材を共用することができ、部品点数の削減による製造コストの低減を図ることができる。
【００８４】
また、本実施形態に係る振分機構３０は、貯留タンク４に備えられて貯留タンク４内のパチンコ玉を振り分けるものを示したが、これに限らず、例えば、パチンコ島台１に備えることにより、貯留タンク４から溢れたパチンコ玉、所謂、オーバーフロー玉を所定の二箇所の場所にほぼ均等に振り分けるもの等であってもよい。
【００８５】
また、上記した本実施形態（第１実施形態）においては、振分機構３０を構成する第１誘導部材４０及び第３誘導部材５０が、それぞれ第１排出口１１ａ及び第２排出口１１ｂから突出して下端面１５ａ，１５ｂの情報に位置することにより、下端面１５ａ，１５ｂを保護するものを示したが、これに限らず、図１に示す下段交流樋９内に第１誘導部材４０及び第２誘導部材５０に相当する部材が設けられているものであってもよい。即ち、導入口１１の下端面１５ｃが下段交流樋９から貯留タンク４へ導入されるパチンコ玉によって破損・損傷されないようにするものであってもよい。このような実施形態（第２実施形態）について、図１３を参照して説明する。図１３は、貯留タンク４に下段交流樋９が接続されている状態を示す断面図である。なお、上記した第１実施形態と同様の機能を有する部材には、同じ符号を付した。
【００８６】
図１３において、第２実施形態に係る下段交流樋９の下流端部には、第１誘導部材４０が設けられており、この第１誘導部材４０の導入口１１側と反対側の端部には第２誘導部材５０が連続的に設けられている。そして、第１誘導部材４０は、第１誘導面４１の導入口１１側の端部が、導入口１１から突出して導入口１１の下端面１５ｃの上方に位置することにより下端面１５ｃを保護する状態と、下端面１５ｃの上方に位置しない状態と、の間で任意に取付位置を変更可能である。このため、第１誘導面４１の導入口１１側の端部を導入口１１から突出させることにより、導入口１１の下端面１５ｃが第１誘導部材４０の下方に位置することとなるため、パチンコ玉が導入口１１の下端面１５ｃに直接接することがなく、導入口１１の下端面１５ｃを保護することができる。
【００８７】
なお、上記した第１及び第２実施形態においては、貯留タンク４は、パチンコ島台１の上部に設置される、いわゆる上部貯留タンクであるものを示したが、これに限らず、例えば、パチンコ島台１内部の下部に設置される、いわゆる下部貯留タンクであってもよい。具体的には、例えば、下部貯留タンクから玉磨き揚送装置に対してパチンコ玉を誘導するための下部貯留タンクに接続された接続樋に、上記した第１及び第２実施形態の構成を適用することができる。
【００８８】
また、上記した第１及び第２実施形態においては、パチンコ島台１に設置される遊技機としてパチンコ機２を示したが、これに限らず、パチンコ玉を使用する遊技機であれば、例えば、パロット，雀球等の遊技機であってもよい。
【図面の簡単な説明】
【００８９】
【図１】複数のパチンコ島台を示す斜視図である。
【図２】貯留タンク，振分機構及び玉磨き揚送装置の関係を示す斜視図である。
【図３】振分機構の分解斜視図である。
【図４】振分機構を組み立てた状態の斜視図である。
【図５】振分機構の組み立てる状態を示す側面図である。
【図６】振分機構を組み立てた状態の側面図である。
【図７】貯留タンク内にパチンコ玉が誘導される状態を示す斜視図である。
【図８】貯留タンク内のパチンコ玉が振分機構側に誘導される状態を示す斜視図である。
【図９】貯留タンク内のパチンコ玉がオーバーフロー側に誘導される状態を示す斜視図である。
【図１０】振分機構において、パチンコ玉の上部誘導面上の位置の違いによる振り分け方向の違いを示す側面図である。
【図１１】上部誘導面上で近接する２つのパチンコ玉の振分方向の違いを示す側面図である。
【図１２】パチンコ玉を一方向に誘導する構造の振分機構の分解斜視図である。
【図１３】貯留タンクに下段交流樋が接続されている状態を示す断面図である。
【符号の説明】
【００９０】
１  パチンコ島台
２  パチンコ機（遊技機）
４  貯留タンク
１１ａ  第１排出部（開口部）
３１  本体ベース
４０  第１誘導部材
４１  第１誘導面
４２  第１取付片
４３  第１取付穴
６０  第２誘導部材
６１  第２誘導面
６５  パチンコ玉非進入空間
８４  第２誘導側板（側壁）
【図１】
2006043019.tif 000003
【図２】
2006043019.tif 000004
【図３】
2006043019.tif 000005
【図４】
2006043019.tif 000006
【図５】
2006043019.tif 000007
【図６】
2006043019.tif 000008
【図７】
2006043019.tif 000009
【図８】
2006043019.tif 000010
【図９】
2006043019.tif 000011
【図１０】
2006043019.tif 000012
【図１１】
2006043019.tif 000013
【図１２】
2006043019.tif 000014
【図１３】
2006043019.tif 000015